(57)【特許請求の範囲】
【請求項１】
コンテンツ提供側から送信された放送電波を受信し、遠隔指示制御装置からのコンテンツの切り換え情報により所定のコンテンツを選択して放送受信装置の画面に表示させる放送受信システムにおいて、
連動型コンテンツ又は非連動型コンテンツのうち何れかに対応する切り換え操作手順情報を蓄積するＩＣカードと、
前記ＩＣカードの識別情報を読み取り、前記識別情報に対応させて予め蓄積された連動型コンテンツ又は非連動型コンテンツに対応する切り換え操作手順情報のうち、現在の時間帯に対応する方の切り換え操作手順情報を前記ＩＣカードに書き込む読取／書込装置とを有し、
前記遠隔指示制御装置は、前記ＩＣカードに蓄積された前記切り換え操作手順情報を読み取り、前記放送受信装置に送信することを特徴とする放送受信システム。
【請求項２】
前記読取／書込装置は、
前記コンテンツ提供側より提供される電子番組表を取得し、
前記電子番組表に含まれる時間帯毎の各コンテンツの連動型コンテンツ識別情報に基づいて、現在の時間帯に対応するコンテンツの連動型コンテンツ識別情報が連動型である場合に連動型コンテンツに対応する切り換え操作手順情報を前記ＩＣカードに書き込むことを特徴とする請求項１に記載の放送受信システム。
【請求項３】
前記読取／書込装置は、
前記電子番組表に含まれる時間帯毎の各コンテンツの連動型コンテンツ識別情報に基づいて、前記連動型コンテンツ識別情報が連動型であるコンテンツの時間帯を取得し、
取得した連動型コンテンツの開始時間に、前記連動型コンテンツに対応する切り換え操作手順情報を前記ＩＣカードに書き込み、
前記連動型コンテンツの終了時間に、前記非連動型コンテンツに対応する切り換え操作手順情報を前記ＩＣカードに書き込むことを特徴とする請求項１に記載の放送受信システム。
【請求項４】
複数のＩＣカードを格納するカード格納手段を有し、
前記読取／書込装置は、
前記カード格納手段に格納されたＩＣカードに対して情報の読み取り又は書き込みを行うことを特徴とする請求項１乃至３の何れか１項に記載の放送受信システム。
【請求項５】
コンテンツ提供側から送信された放送電波を受信し、遠隔指示制御装置からのコンテンツの切り換え情報により所定のコンテンツを選択して放送受信装置の画面に表示させるための放送受信システムにおいて、
前記遠隔指示制御装置は、
選択するコンテンツに対応して予め設定されたコード情報を取り込むコード取込手段を有し、
前記コード情報に対応させて、予め蓄積された連動型コンテンツ又は非連動型コンテンツに対応する切り換え操作手順情報のうち、現在の時間帯に対応する方のコンテンツの切り換え操作手順情報を前記放送受信装置に送信することを特徴とする放送受信システム。
【請求項６】
前記遠隔指示制御装置は、
前記コンテンツ提供側より提供される電子番組表を取得し、
前記電子番組表に含まれる時間帯毎の各コンテンツの連動型コンテンツ識別情報に基づいて、現在の時間帯に対応するコンテンツの連動型コンテンツ識別情報が連動型である場合に連動型コンテンツに対応する切り換え操作手順情報を前記放送受信装置に送信することを特徴とする請求項５に記載の放送受信システム。
【請求項７】
前記遠隔指示制御装置は、
前記電子番組表に含まれる連動型コンテンツ識別情報であって、前記コード情報を取得した時間帯と前記コード情報とに対応したコンテンツの連動型コンテンツ識別情報に基づいて、前記連動型コンテンツ識別情報が連動型である場合に連動型コンテンツへの切り換え操作手順情報を前記放送受信装置に送信し、連動型でない場合に非連動型コンテンツへの切り換え操作手順情報を前記放送受信装置に送信することを特徴とする請求項６に記載の放送受信システム。
【発明の詳細な説明】
【技術分野】
【０００１】
本発明は、放送受信システムに係り、特に簡単な操作で所望のコンテンツに切り換えるための放送受信システムに関する。
【背景技術】
【０００２】
近年では、デジタル放送の普及により、多チャンネルサービスや高画質放送サービス、視聴形態に関する多様なニーズに応えるサービス、多様な情報形態（マルチメディア）によるサービス、高度なデータ放送サービス、双方向（オン・デマンド）型の放送サービス等を行うことができる。
【０００３】
また、データ放送等を受信できる放送受信装置が実用化されており、それらの放送受信装置には、視聴する番組等のコンテンツを選択するリモコン（リモートコントローラ：遠隔指示制御装置）により指示制御信号を赤外線等によりデジタル放送受信装置本体に送信し、デジタル放送受信装置本体にある赤外線受光部で受光した信号により所定の番組へ切り換えを行っている。このように、リモコンを用いることで離れた場所から本体機器を操作することができる。
【０００４】
ここで、デジタル放送の高機能化及び多機能化に伴い、リモコンのボタン数が増加したり、コンテンツが階層化されていること等に起因して、その操作性が悪化する場合がある。具体的には、目的のコンテンツを表示するために、リモコンのボタンを何回も操作する必要性が生じる。
【０００５】
そこで、この課題を解決する従来手法として、電子タグが埋め込まれた記録媒体（カード）に目的のコンテンツを表示するまでのリモコン操作手順を事前に記録し、電子タグリーダ内蔵のリモコンで目的のコンテンツを表示するためのリモコン操作手順を読み取り、読み取ったリモコン操作信号に変換し、テレビに送出する手法がある（例えば、特許文献１参照。）。これにより、ユーザは目的のコンテンツの情報が記録されているカードをリモコンにかざすだけで、データ放送コンテンツを閲覧することができる。
【特許文献１】特開２００７−６７９８３号公報
【発明の開示】
【発明が解決しようとする課題】
【０００６】
ところで、デジタル放送のデータ放送では、受信時にリモコンの「ｄ」（データ）ボタンを押すことで、データチャンネルに移動することができる。そこからの所望のコンテンツの検索は、デジタル放送受信装置対応のリモコンに設けられる青・赤・緑・黄の４つの色ボタンや矢印キー等で操作することができる。
【０００７】
ここで、例えば連動データ放送（放送中の番組と連動したデータ放送）が放送されている時間では、選局して「ｄ」ボタンを押すと、データ放送のトップ画面が表示されず、連動データ放送コンテンツが割り込む場合がある。つまり、選局してから目的のコンテンツを表示するまでのリモコン操作手順が、連動データ放送時間とそうでないデータ放送時間（非連動データ放送時間）とで異なることになる。このように、従来技術では、時間帯によって目的のコンテンツを表示することができないという問題点があった。
【０００８】
本発明は、上述した問題点に鑑みなされたものであり、連動型／非連動型に関係なく、簡単な操作で所望のコンテンツに切り換えるための放送受信システムを提供することを目的とする。
【課題を解決するための手段】
【０００９】
上記課題を解決するために、本件発明は、以下の特徴を有する課題を解決するための手段を採用している。
【００１０】
請求項１に記載された発明は、コンテンツ提供側から送信された放送電波を受信し、遠隔指示制御装置からのコンテンツの切り換え情報により所定のコンテンツを選択して放送受信装置の画面に表示させる放送受信システムにおいて、連動型コンテンツ又は非連動型コンテンツのうち何れかに対応する切り換え操作手順情報を蓄積するＩＣカードと、前記ＩＣカードの識別情報を読み取り、前記識別情報に対応させて予め蓄積された連動型コンテンツ又は非連動型コンテンツに対応する切り換え操作手順情報のうち、現在の時間帯に対応する方の切り換え操作手順情報を前記ＩＣカードに書き込む読取／書込装置とを有し、前記遠隔指示制御装置は、前記ＩＣカードに蓄積された前記切り換え操作手順情報を読み取り、前記放送受信装置に送信することを特徴とする。
【００１１】
請求項１記載の発明によれば、遠隔指示制御装置において煩雑な操作を行うことなく、簡単な操作で所望のコンテンツに切り換えることができる。
【００１２】
請求項２に記載された発明は、前記読取／書込装置は、前記コンテンツ提供側より提供される電子番組表を取得し、前記電子番組表に含まれる時間帯毎の各コンテンツの連動型コンテンツ識別情報に基づいて、現在の時間帯に対応するコンテンツの連動型コンテンツ識別情報が連動型である場合に連動型コンテンツに対応する切り換え操作手順情報を前記ＩＣカードに書き込むことを特徴とする。
【００１３】
請求項２記載の発明によれば、電子番組表を用いてコンテンツが連動型であるか非連動型であるかの把握を容易に行い、対応する操作手順をＩＣカードに書き込むことができる。
【００１４】
請求項３に記載された発明は、前記読取／書込装置は、前記電子番組表に含まれる時間帯毎の各コンテンツの連動型コンテンツ識別情報に基づいて、前記連動型コンテンツ識別情報が連動型であるコンテンツの時間帯を取得し、取得した連動型コンテンツの開始時間に、前記連動型コンテンツに対応する切り換え操作手順情報を前記ＩＣカードに書き込み、前記連動型コンテンツの終了時間に、前記非連動型コンテンツに対応する切り換え操作手順情報を前記ＩＣカードに書き込むことを特徴とする。
【００１５】
請求項３記載の発明によれば、連動型又は非連動型のコンテンツの切り換え時に通常の遠隔指示制御装置における操作内容が異なる場合でも、ユーザは同一の操作で所望のコンテンツに切り換えることができる。
【００１６】
請求項４に記載された発明は、複数のＩＣカードを格納するカード格納手段を有し、前記読取／書込装置は、前記カード格納手段に格納されたＩＣカードに対して情報の読み取り又は書き込みを行うことを特徴とする。
【００１７】
請求項４記載の発明によれば、複数のカードに対してデータの読み取り又は書き込みを行うことができる。
【００１８】
請求項５に記載された発明は、コンテンツ提供側から送信された放送電波を受信し、遠隔指示制御装置からのコンテンツの切り換え情報により所定のコンテンツを選択して放送受信装置の画面に表示させるための放送受信システムにおいて、前記遠隔指示制御装置は、選択するコンテンツに対応して予め設定されたコード情報を取り込むコード取込手段を有し、前記コード情報に対応させて、予め蓄積された連動型コンテンツ又は非連動型コンテンツに対応する切り換え操作手順情報のうち、現在の時間帯に対応する方のコンテンツの切り換え操作手順情報を前記放送受信装置に送信することを特徴とする。
【００１９】
請求項５記載の発明によれば、遠隔指示制御装置において煩雑な操作を行うことなく、簡単な操作で所望のコンテンツに切り換えることができる。
【００２０】
請求項６に記載された発明は、前記遠隔指示制御装置は、前記コンテンツ提供側より提供される電子番組表を取得し、前記電子番組表に含まれる時間帯毎の各コンテンツの連動型コンテンツ識別情報に基づいて、現在の時間帯に対応するコンテンツの連動型コンテンツ識別情報が連動型である場合に連動型コンテンツに対応する切り換え操作手順情報を前記放送受信装置に送信することを特徴とする。
【００２１】
請求項６記載の発明によれば、電子番組表を用いてコンテンツが連動型であるか非連動型であるかの把握を容易に行い、対応する操作手順を放送受信装置に送信することができる。
【００２２】
請求項７に記載された発明は、前記遠隔指示制御装置は、前記電子番組表に含まれる連動型コンテンツ識別情報であって、前記コード情報を取得した時間帯と前記コード情報とに対応したコンテンツの連動型コンテンツ識別情報に基づいて、前記連動型コンテンツ識別情報が連動型である場合に連動型コンテンツへの切り換え操作手順情報を前記放送受信装置に送信し、連動型でない場合に非連動型コンテンツへの切り換え操作手順情報を前記放送受信装置に送信することを特徴とする。
【００２３】
請求項７記載の発明によれば、連動型又は非連動型のコンテンツの切り換え時に通常の遠隔指示制御装置における操作内容が異なる場合でも、ユーザは同一の操作で所望のコンテンツに切り換えることができる。
【発明の効果】
【００２４】
本発明によれば、簡単な操作で所望のコンテンツに切り換えることができる。
【発明を実施するための最良の形態】
【００２５】
＜本発明の概要＞
本発明は、所望するコンテンツを画面に表示するためのリモコン操作手順をメモリに記録し、必要に応じてリモコン（遠隔指示制御装置）に送信するシステム形態において、メモリ等の記憶装置に記憶させるリモコン操作手順をコンテンツ毎に連動型の時間帯と、非連動型の時間帯とで切り換えて記憶させる。
【００２６】
したがって、本発明は、例えば１つのコンテンツに対する複数のリモコン操作手順を、時間帯に応じて、例えば電子タグ等が埋め込まれた記録媒体（ＩＣカード）に記録し、電子タグリーダ内蔵のリモコンで目的のコンテンツを表示するためのリモコン操作手順を読み取り、読み取ったリモコン操作信号に変換し、デジタル放送受信装置等に送出することができる。なお、電子タグは、カードＩＤ（カード識別情報）等のデータを格納するメモリ機能のあるＩＣ（Ｉｎｔｅｇｒａｔｅｄ  Ｃｉｒｃｕｉｔ）チップと、データを送受信するアンテナとを有している。
【００２７】
なお、本発明において、提供される複数のコンテンツにおいて、例えば各コンテンツが連動型であるか、又は非連動型であるか等、リモコンの操作手順が異なるようなコンテンツが提供される時間帯が何時であるかを知る方法として、例えばインターネット等の通信ネットワークを介して電子的なテレビ番組表（電子番組表（ＥＰＧ：Ｅｌｅｃｔｒｏｎｉｃ  Ｐｒｏｇｒａｍ  Ｇｕｉｄｅ））を取得する。
【００２８】
つまり、取得した電子番組表から連動データ放送時間を取得し、連動型放送データ放送時間とそうでない放送時間（非連動型放送データ放送時間）とで、メモリ等への記憶内容を切り換えることで、ユーザは同一の簡単な操作で所望するコンテンツに容易に切り換えを行うことができる。
【００２９】
以下に、上述したような特徴を有する本発明における放送受信システムを好適に実施した形態について、図面等を用いて詳細に説明する。なお、以下に示す実施形態では、コンテンツの一例としてテレビ等に提供される番組全般について説明するが、本発明においてはこの限りではなく、デジタル放送において提供可能な映像や音声、テキスト情報、表、グラフ、画像等のあらゆるメディアの情報を対象にすることができる。
【００３０】
＜第１の実施形態＞
図１は、本発明における放送受信システムの概要構成の一例を示す図である。なお、図１に示す放送受信システム１０は、読取／書込装置（リーダ／ライタ）１１と、電子タグ等のデータを記憶する記憶媒体等が埋め込まれたＩＣカード１２と、リモコン（遠隔指示制御装置）１３とを有するよう構成されている。
【００３１】
ここで、第１の実施形態における放送受信システム１０は、例えば放送局等に代表されるコンテンツ提供装置２１からデジタル放送の放送電波を受信してユーザに提供する。したがって、図１には、デジタル放送等を画面に表示させるためのデジタル放送受信装置であるテレビ１４と、その放送電波を受信する放送アンテナ１５とが示されている。
【００３２】
なお、放送受信システム１０は、インターネット等に代表される通信ネットワーク２２等から電子番組表（ＥＰＧ）２３を取得する。なお、本発明においてはこの限りではなく、例えばＣＡＴＶやＩＰ（Ｉｎｔｅｒｎｅｔ  Ｐｒｏｔｏｃｏｌ）放送等により上述の放送電波における放送信号を取得することもできる。
【００３３】
読取／書込装置（リーダ／ライタ）１１は、通信ネットワーク２２を介してコンテンツ提供装置２１から得られる電子番組表を用いて、どの時間帯に連動型放送が行われているか否かを把握する。また、読取／書込装置１１は、予め連動型放送時における番組切り換えのリモコン操作手順情報と、非連動型番組時のリモコン操作手順をその番組毎に関連付けて登録する。
【００３４】
また、読取／書込装置１１は、１又は複数のＩＣカード１２−１，１２−２，…，１２−ｎにおいて、例えばＩＣカード１２を識別するカードＩＤ毎に特定の番組を割り付け、その対象となるＩＣカード１２毎に各時間帯における連動型又は非連動型の何れかのリモコン操作手順情報をＩＣチップ等のメモリ（記憶部）に記憶させる。
【００３５】
なお、読取／書込装置１１が複数のＩＣカード１２−１，１２−２，…，１２−ｎに時間帯毎に対応したリモコン操作手順情報を記憶させる場合には、例えば読取／書込装置１１にＩＣカード１２の電子タグを近接させることで、カードＩＤを読み取り、そのカードＩＤに対応する番組におけるその時間帯のリモコン操作手順情報を送信し、電子タグに記憶させる。また、読取／書込装置１１は、専用のカードホルダ（カード格納手段）２４を設け、そのカードホルダ２４にＩＣカード１２−１，１２−２，…，１２−ｎを格納しておくことで、各ＩＣカードのカードＩＤを読み取り、対応する番組におけるリモコン操作手順情報を、連動型番組時と非連動型番組時とで切り換えて記憶させることができる。
【００３６】
また、読取／書込装置１１は、ＩＣカード１２中の電子タグ等に記憶されている情報を消去する消去機能も有している。なお、読取／書込装置１１の詳細については後述する。
【００３７】
ＩＣカード１２は、それぞれ対応するある特定の番組へのリモコン操作手順が電子タグのＩＣチップ等に記憶されている。また、上述したように、それぞれのＩＣカード１２は、図１に示すようなカードホルダ２４により格納され、カードホルダ２４に格納されている間に読取／書込装置１１により連動型放送、又は非連動型放送の各放送時に対応する各番組毎のリモコン操作手順情報を対応するＩＣカード１２に記録される。
【００３８】
なお、ユーザは、テレビ１４に表示されている番組を切り換える際、例えばカードホルダ２４に格納されたＩＣカード１２−１〜１２−ｎのうち、視聴したい所望の番組のＩＣカードを選択して、リモコンに読み取らせる。したがって、ＩＣカード１２には、表面の所定の領域に、番組名やチャンネル名、コンテンツ名等が予め表記されているか、番組名やチャンネル名、コンテンツ名のうち、少なくとも１つを表示する表示部等を有する。これにより、ユーザは、各ＩＣカード１２−１〜１２−ｎに視覚的に表示された識別情報により容易に所望するチャンネルのカードを選択することができる。
【００３９】
リモコン１３は、ＩＣカード１２の電子タグ等に含まれる番組切り換えにおけるカードＩＤに対応する特定の番組のリモコン操作手順を接触又は非接触で取得することができる。また、リモコン１３は、各カード１２から取得した情報を赤外線等によりテレビ１４に出力して所望する番組への切り換えを行う。つまり、ユーザは、見たい番組に対応するカード１２をリモコン１３に読み取らせ、カード１２から取得したリモコン操作手順情報をリモコン１３からテレビ１４に送信するだけで、例えば連動型放送であっても、非連動型放送であっても所望する番組をテレビ１４に表示することができる。
【００４０】
テレビ１４は、放送アンテナ１５により放送電波を受信し、チューナによりセットされた対応するチャンネルを映像及び音声にて表示する。具体的には、テレビ１４は、選択されたチャンネルのデジタル信号を、例えば復調器等によりデジタル信号ストリームに復調し、多重分離手段等により映像信号ストリーム、音声信号ストリーム、及びデータ信号ストリームに分離して、映像デコーダ、音声デコーダ及びデータデコーダ等により復号して、映像信号、音声信号、及びデータ信号を出力する。
【００４１】
更に、テレビ１４は、リモコン１３から出力される赤外線等の光信号を受信する光信号受信部を有し、リモコン１３からのリモコン操作手順情報により特定される選局情報に基づいて指定された番組が選択される。また、放送アンテナ１５は、コンテンツ提供装置２１から放送電波を取得し、取得した放送電波をテレビ１４に出力する。
【００４２】
＜読取／書込装置１１：機能構成例＞
次に、読取／書込装置１１における機能構成例について図を用いて説明する。図２は、読取／書込装置の機能構成の一例を示す図である。図２に示す読取／書込装置１１は、電子番組表取得部３１と、連動データ放送時間リスト生成部３２と、リモコン操作手順リスト処理部３３と、時刻管理部３４と、カード情報書換部３５とを有するよう構成されている。
【００４３】
電子番組表取得部３１は、コンテンツ提供装置２１から通信ネットワーク２２等を介して得られる電子番組表２３を取得する。なお、電子番組表取得部３１は、例えば１回／日又は１回／週以上の定期的な所定回数、又は電子番組表の更新時のタイミングで取得する。なお、電子番組表取得部３１は、電子番組表２３の取得要求をコンテンツ提供装置２１に送信して所定のタイミングで取得してもよい。また、電子番組表取得部３１は、取得した電子番組表の情報を連動データ放送時間リスト生成部３２に出力する。
【００４４】
連動データ放送リスト生成部３２は、電子番組表取得部３１により取得した電子番組表から連動型のデータ放送を放送する番組の時間リストを所定の識別情報により識別し、その連動データ放送が行われている時間リストを生成し、生成した連動データ放送時間リスト４１を例えば蓄積手段等により蓄積する。
【００４５】
リモコン操作手順リスト処理部３３は、番組毎のリモコン操作手順情報をユーザーの手入力やリムーバブルメディア等から取得する。また、リモコン操作手順リスト処理部３３は、取得した情報から操作手順情報のリストを生成し、生成したリモコン操作手順リスト４２を例えば蓄積手段等により蓄積する。なお、リモコン操作手順リスト４２には、カード情報書換部３５により得られるカードの書き換えた状態を示す情報等も各カード毎に蓄積される。
【００４６】
時刻管理部３４は、正確な時刻（日付・時間）の管理を行い、その時刻情報をカード情報書換部３５に出力する。なお、時刻管理部３４は、所定の時刻管理情報を予め設定された通信ネットワーク２２等を介して外部のタイムサーバ等から正確な標準時刻を定期的に取得（ダウンロード）することができる。
【００４７】
カード情報書換部３５は、連動データ放送時間リスト４１と、リモコン操作手順リスト４２と、時刻管理部３４とから得られる日付・時間情報等に基づいて、各ＩＣカード１２−１〜１２−ｎがそれぞれ対応する番組に対してそれぞれの時間帯に応じて所定の操作手順に書き換えを行う。また、カード情報書換部３５は、書き換えた情報をリモコン操作手順リスト４２に出力し、どのカードが現在どのような状態であるか（連動型のリモコン操作手順が記録されているか、又は非連動型のリモコン操作手順が記録されているか等）の情報を蓄積する。
【００４８】
＜電子番組表及び連動データ放送時間リストについて＞
次に、電子番組表及び連動データ放送時間リストについて、図を用いて説明する。図３は、電子番組表及び連動データ放送時間リストの一例を示す図である。また、図４は、電子番組表の一例を示す図である。
【００４９】
まず、図３（ａ）に示す電子番組表は、具体的には「日付・時間」、「チャンネル」、「番組タイトル」等の各構成を有している。なお、これらの情報は、例えば図４に示すように、電子番組表を記述しているＨＴＭＬ（ＨｙｐｅｒＴｅｘｔ  Ｍａｒｋｕｐ  Ｌａｎｇｕａｇｅ）文書等から抽出することができる。なお、図４に示す例では、「日付・時間」、「チャンネル」、「番組タイトル」、及び「詳細」の各項目から構成されているが、構成内容についてはこれに限定されるものではない。
【００５０】
ここで、図３（ａ）に示す番組タイトルのうち、「デ」と表記されているものが連動データ放送を示すものである。したがって、連動データ放送時間リスト生成部３２は、図３（ａ）に示す電子番組表から図３（ｂ）に示す連動データ放送時間リスト４１を生成する。
【００５１】
図３（ｂ）に示す連動データ放送時間リスト４１は、具体的には「日付・時間」、「チャンネル」等の項目により構成されている。つまり、図３（ｂ）に示す連動データ放送時間リスト４１により、「２００８年１月８日  午前７：４５〜午前８：００」にチャンネル「ＢＳｈｉ」で連動データ放送が行われることを把握することができる。
【００５２】
したがって、カード情報書換部３５は、２００８年１月８日の午前７：４５の時点で、「ＢＳｈｉ」で放送される番組に対応するＩＣカード１２に対し、連動データ放送用のリモコン操作手順情報を送信してデータの書き換えを行う。また、カード情報書換部３５は、同日の午前８：００の時点で、非連動データ放送用のリモコン操作手順情報を送信してデータの書き換えを行う。
【００５３】
＜リモコン（遠隔指示制御装置）１３のボタン構成例について＞
次に、リモコン（遠隔指示制御装置）１３のボタン構成例について図を用いて説明する。図５は、リモコンのボタン構成の一例を示す図である。図５に示すリモコン１３において、放送メディアボタン５０は、ＢＳボタン、地上ボタン、及びＣＳボタンの何れかのボタンを選択してＢＳ放送、地上波放送、ＣＳ放送等の放送メディアの切り換えを行う。
【００５４】
ダイレクトボタン５１は、編成チャンネルの選択ボタンであり、例えばＢＳボタンを押した後に、１，０，３と３個のボタンを押すことで、ＮＨＫ（登録商標）のデジタルハイビジョン「ＢＳｈｉ」の１０３チャンネルを選局することができる。
【００５５】
また、ＥＰＧボタン５２は、ＥＰＧ機能を呼び出すボタンであり、このボタンを押すことにより、電子番組表がテレビ１４に表示され、番組表の中からチャンネル選択を行うことができる。
【００５６】
また、「ｄ」ボタン５３は、データ放送を起動するボタンである。上述した青・赤・緑・黄の色ボタン５４はデータ放送等で利用される。また、ワンタッチボタン５５は、ワンプッシュで編成チャンネルを選択することができる。
【００５７】
また、リモコン１３は、これ以外に上下左右ボタン、決定ボタン、戻るボタン、チャンネルのアップダウンボタン、映像切換ボタン、音声切換ボタン、字幕ボタン等を備えている。なお、リモコンのデザイン、ボタン（キー）名称等は、メーカー等により異なる。
【００５８】
＜リモコン１３の機能構成例（第１の実施形態）＞
次に、第１の実施形態におけるリモコンについて説明する。図６は、第１の実施形態におけるリモコンの機能構成の一例を示す図である。
【００５９】
図６に示すリモコン１３は、電子タグリーダ部６１と、デコード処理部６２と、送信制御部６３と、エンコード処理部６４と、メモリ６５と、赤外線信号送信部６６とを有するよう構成されている。
【００６０】
なお、リモコン１３は、上述した図５の各種ボタンに対応した通常のリモコン機能に加えて以下の機能を有する。電子タグリーダ部６１により、ＩＣカード１２の電子タグに記憶されているリモコン操作手順を非接触又は接触で読み取り、デコード処理部６２に出力する。
【００６１】
また、デコード処理部６２は、入力したリモコン操作手順情報を復調し、送信制御部６３に出力する。また、送信制御部６３は、入力した復調後のリモコン操作手順情報等をエンコード処理部６４に出力する。
【００６２】
エンコード処理部６４は、入力したリモコン操作手順情報を符号化し、メモリ６５に出力する。メモリ６５は、符号化された情報は一旦蓄積しておき、視聴者に対して電子タグ情報の読取処理が完了した場合に、例えばリモコン１３に予め設けられるＬＥＤ（Ｌｉｇｈｔ  Ｅｍｉｔｔｉｎｇ  Ｄｉｏｄｅ）等により点灯させて知らせることができる。
【００６３】
次に、メモリ６５に格納されている符号化されたチャンネル識別情報が赤外線信号送信部６６に供給される。
【００６４】
赤外線信号送信部６６は、符号化された情報により赤外線を変調し、変調された赤外線を外部に放出する。したがって、視聴者は、電子タグリーダ部６１をＩＣカード１２の電子タグに近接させるだけでテレビ１４を連動型／非連動型のデータ放送の何れかにおいても容易に番組を切り換えることができる。
【００６５】
＜リモコン操作手順及びリモコン操作手順リストについて＞
次に、リモコン操作手順及びリモコン操作手順リストについて図を用いて説明する。図７は、リモコンの一例を示す図である。図７は、リモコン操作手順及びリモコン操作手順リストを説明するための一例を示す図である。なお、図７（ａ）は、通常時のリモコン操作手順の一例を示し、図７（ｂ）は、連動データ放送時のリモコン操作手順の一例を示している。更に、図７（ｃ）は、リモコン操作手順リストの一例を示している。
【００６６】
ここで、図７（ａ）に示す通常時のリモコン操作手順においては、ＢＳボタンを押した後、ワンタッチボタン５５により「３ボタン」を選択すると選局状態となり、更に「ｄ」ボタン５３を選択することでトップページに移動する。この時点で色ボタンの赤ボタン、青ボタン、黄ボタン、緑ボタンをそれぞれ選択すると、それぞれ「天気ページ」、「ニュースページ」、「野球ページ」、「相撲ページ」に移動することができる。
【００６７】
また、図７（ｂ）に示す連動データ放送時のリモコン操作手順においては、ＢＳボタンを押した後、ワンタッチボタン５５により「３ボタン」を選択すると、選局状態となり、更に「ｄ」ボタン５３を選択することでデータ放送と連動する連動コンテンツページに移動する。したがって、連動データ放送時には、この状態で黄ボタンを更に選択することで、トップページに移動することになる。また、この時点で色ボタンの赤ボタン、青ボタン、黄ボタン、緑ボタンをそれぞれ選択すると、それぞれ「天気ページ」、「ニュースページ」、「野球ページ」、「相撲ページ」に移動することができる。
【００６８】
リモコン操作手順リスト処理部３３は、上述した図７（ａ），（ｂ）に示すような情報に基づいて、図７（ｃ）に示すようなリモコン操作手順リスト４２を生成する。具体的には、リモコン操作手順リスト処理部３３は、特定の番組毎に予め特定されたカードＩＤ毎に非連動時のリモコン操作手順と、連動時のリモコン操作手順を生成し、蓄積する。
【００６９】
更に、リモコン操作手順リスト４２には、カードＩＤ毎にカード情報書換部３５により書き換えられた情報カードの状態（連動／通常（非連動））等の項目が蓄積される。なお、図７（ｃ）に示すリモコン操作手順リスト４２には、上述した項目以外にも、カードＩＤに対応するチャンネル情報等を蓄積してもよい。
【００７０】
＜第１の実施形態における番組切り換え動作＞
次に、第１の実施形態における番組切り換え動作例について図を用いて説明する。図８は、第１の実施形態における番組切り換え動作の一例を示すフローチャートである。図８に示す切り換え動作例において、まず、連動データ放送時には、選局してから「ｄ」ボタンを押すと連動コンテンツが表示され、このページで黄ボタンを押すとデータ放送のトップページに遷移するように、コンテンツ提供装置である放送局からデータ放送を受信する（Ｓ０１）。
【００７１】
データ放送コンテンツ毎に通常時と連動データ放送時のリモコン操作手順情報を読取／書込装置１１のリモコン操作手順リスト処理部から入力し、リモコン操作手順リスト４２を生成する（Ｓ０２）。また、読取／書込装置１１は、各ＩＣカード１２に通常時のリモコン操作手順情報をそれぞれ記録する（Ｓ０３）。具体的には、各時間帯に応じてＩＣカード１２から受信したカードＩＤに対応するリモコン操作手順をリモコン操作手順リスト４２から抽出し、その内容をＩＣカード１２に記録する。このとき、リモコン操作手順リスト４２におけるカードの状態を通常とする。そして、各カードの状態の全てが通常となるまで１又は複数回、書き換え作業を行う。
【００７２】
次に、読取／書込装置１１は、例えばインターネット等の通信ネットワーク２２を介して電子番組表２３を取得し、そこから連動データ放送時間を抽出して連動データ放送時間リスト４１を生成する（Ｓ０５）。また、読取／書込装置１１は、連動データ放送時間が存在するか否かを判断し（Ｓ０６）、連動データ放送時間が存在する場合（Ｓ０６において、ＹＥＳ）、連動時のリモコン操作手順を各カードに記録し、リモコン操作手順リスト４２におけるカードの状態を連動にする（Ｓ０７）。全てのカードの状態を連動にするまで複数回、書き換え作業を行う。
【００７３】
次に、Ｓ０６の処理において、連動データ放送時間が存在しない場合（Ｓ０６において、ＮＯ）、又はＳ０７の処理の終了後、読取／書込装置１１は、連動データ放送終了時間であるか否かを判断する（Ｓ０８）。
【００７４】
ここで、連動データ放送終了時間である場合（Ｓ０８において、ＹＥＳ）、通常時のリモコン操作手順を各ＩＣカード１２に記録する（Ｓ０９）。また、Ｓ０８の処理において、連動データ放送終了時間でない場合（Ｓ０８において、ＮＯ）、又はＳ０９の処理の終了後、切り換え動作処理を終了するか否かを判断し（Ｓ１０）、処理を終了しない場合（Ｓ１０において、ＮＯ）、Ｓ０１に戻り後続の処理を継続する。また、処理を終了する場合（Ｓ１０において、ＹＥＳ）、本実施形態における番組切り換え動作を終了する。
【００７５】
これにより、ユーザは所望するコンテンツのカードを選択し、リモコンに読み取らせて、その信号をテレビに送信するだけで、煩雑なリモコン操作を行うことなく簡単な操作で所望のコンテンツに切り換えることができる。
【００７６】
＜第２の実施形態＞
次に、第２の実施形態における放送受信システムについて図を用いて説明する。図９は、第２の実施形態における放送受信システムの一例を示す図である。なお、図９に示す第２の実施形態において、上述した第１の実施形態と略同一の機能を有する構成部分については、その構成に同一の番号を付与すると共に、ここでの具体的な説明は省略する。
【００７７】
第２の実施形態では、上述した第１の実施形態と比較すると、第２の実施形態における放送受信システム７０は、リモコン７１に電子番組表を取得するための通信機能と、コンテンツ毎に対応して予め設定されたコード情報を取り込む機能とを設けている点で相違する。なお、上述の連動型／非連動型のリモコン操作手順リストは、予め設定されメモリ等の蓄積手段等に蓄積されている。
【００７８】
なお、コード情報としては、例えば、ＱＲコード（Ｑｕｉｃｋ  Ｒｅｓｐｏｎｓｅ  ｃｏｄｅ）やベリコード、マキシコード等の二次元コードや、バーコード等の一次元コード等を用いることができる。
【００７９】
具体的には、例えば図９に示すように、リモコン７１が直接コンテンツ提供装置２１から通信ネットワーク２２を介して電子番組表を取得し、上述したように連動データ放送時間を取得する。また、リモコン７１は、例えばデータ放送紹介用紙７２等の記録媒体に記録された各コンテンツに対応するコード情報（例えばＱＲコード等）から所望するコンテンツのコード情報を取り込むことにより、所望するコンテンツの適切なリモコン操作手順情報を取得し、リモコン信号に変換してテレビ１４に送信することで、リモコン７１を用いた簡単な操作によりテレビ１４に所望するコンテンツを表示させることができる。
【００８０】
＜リモコン７１の機能構成例（第２の実施形態）＞
次に、第２の実施形態におけるリモコン７１の機能構成例について図を用いて説明する。図１０は、第２の実施形態におけるリモコンの機能構成の一例を示す図である。
【００８１】
図１０に示すリモコン７１は、通信部８１と、デコード処理部６２と、ＱＲコード取込部８２と、メモリ８３と、送信制御部８４と、エンコード処理部６４と、メモリ６５と、赤外線信号送信部６６とを有するよう構成されている。
【００８２】
ここで、第１の実施形態との相違部分について説明すると、通信部８１は、通信ネットワーク２２を介してコンテンツ提供装置２１から直接電子番組表２３を取得し、その電子番組表から上述したように連動データ放送時間を取得する。また、通信部８１は、取得したデータをデコード処理部６１に出力する。
【００８３】
また、ＱＲコード取込部８２は、例えばデータ放送紹介用紙７２に示されているコード情報（例えば、ＱＲコード）を取り込み、コード内のデータを解析する。また、ＱＲコード取込部８２は、解析した結果をメモリ８３に出力する。メモリ８３は、解析結果を一旦蓄積しておき、所定のタイミングで送信制御部８４に出力する。また、メモリ８３は、上述したリモコン操作手順リストと同内容のものが蓄積されている。
【００８４】
信号制御部８４は、デコード処理から得られる電子番組表２３の情報と、メモリ８３に蓄積されたＱＲコードから時間帯に対応する各番組の連動型又は非連動型のリモコン操作手順情報をメモリ８３から取得しエンコード処理部６４に出力する。
【００８５】
これにより、リモコン７１のみを用いた簡単な操作により、目的とするコンテンツのリモコン操作手順情報を取得して、リモコン信号に変換してテレビ１４に送信し、所望のコンテンツを表示させることができる。
【００８６】
＜第２の実施形態における番組切り換え動作＞
次に、第２の実施形態における番組切り換え動作例について図を用いて説明する。図１１は、第２の実施形態における番組切り換え動作の一例を示すフローチャートである。図１１に示す切り換え動作例において、コンテンツ提供装置である放送局からデータ放送を受信する（Ｓ２１）。次に、リモコン７１により通常時と連動時のリモコン操作手順リストを生成する（Ｓ２２）。また、リモコン７１は、インターネット経由で電子番組表を取得し、連動データ放送時間を取得する（Ｓ２３）。
【００８７】
ここで、データ放送紹介用紙７２には、コンテンツ毎にＱＲコードが印刷されている。例えば、上述した図９に示すデータ放送紹介用紙７２には、「天気」としてＩＤ＝１がＱＲコードで記録されている。したがって、ユーザはリモコン７１により目的のコンテンツ（選局番組）を表示するための対応するＱＲコードを取り込む（Ｓ２４）。なお、Ｓ２４の処理においては、このＱＲコードを解析し、その結果をメモリ等に蓄積しておく処理も行われる。
【００８８】
次に、リモコン７１は、電子番組表から現在の時間帯が連動データ放送時間であるか否かを判断し（Ｓ２５）、連動データ放送時間である場合（Ｓ２５において、ＹＥＳ）、取り込んだＱＲコードのＩＤに対応するリモコン操作手順リストの連動時のリモコン操作手順をリモコン信号に変換し（Ｓ２６）、テレビにその信号を送信する（Ｓ２７）。
【００８９】
また、Ｓ２５の処理において、連動データ放送時間でない場合（Ｓ２５において、ＮＯ）、又はＳ２７の処理が終了後、次に、連動放送終了時間か否かを判断する（Ｓ２８）、ここで、終了の場合には、取り込んだＱＲコードのＩＤに対応するリモコン操作手順リストの通常時のリモコン操作手順をリモコン信号に変換し（Ｓ２９）、テレビにその信号を送信する（Ｓ３０）。
【００９０】
また、Ｓ２８の処理において、通常データ放送時間でない場合（Ｓ２８において、ＮＯ）、又はＳ３０の処理が終了後、切り換え動作処理を終了するか否かを判断し（Ｓ３１）、処理を終了しない場合（Ｓ３１において、ＮＯ）、Ｓ２１に戻り後続の処理を継続する。また、処理を終了する場合（Ｓ３１において、ＹＥＳ）、本実施形態における番組切り換え動作を終了する。
【００９１】
これにより、煩雑なリモコン操作を行うことなく簡単な操作で所望のコンテンツに切り換えることができる。
【００９２】
＜その他の構成実施例＞
なお、本発明においては上述した実施形態に限定されず、例えば、第１の実施形態の各構成の変形としては、例えばデータ放送コンテンツを表示するまでのリモコン操作手順情報を記録した記録媒体と、この情報を読み取るリモコンに設けられる情報読取手段があればよい。
【００９３】
また、第２の実施形態の各構成の変形としては、例えばコンテンツに対応するＩＤ（コード情報等の識別情報）が符号化されたＩＤを記録する記録媒体と、このＩＤ記録媒体から読み取るリモコンに設けられるＩＤ読取手段があればよい。
【００９４】
また、リモコンにデータ放送コンテンツを表示するまでのリモコン操作手順情報を受け渡す方法は特に限定されるものではない。更に、リモコン操作手順リストに記録する連動時のリモコン操作手順は、通常時の操作手順から所定の操作規則に基づいて自動生成するような機能を有していてもよい。
【００９５】
上述したように本発明によれば、煩雑なリモコン操作を行うことなく簡単な操作で所望のコンテンツに切り換えることができる。つまり、本発明によれば、視聴を希望するコンテンツの階層が深く、そのコンテンツを表示させるまでのリモコン操作が煩雑になる場合であっても、極めて簡単な操作で所望のコンテンツを視聴することができる。
【００９６】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【００９７】
【図１】本発明における放送受信システムの概要構成の一例を示す図である。
【図２】読取／書込装置の機能構成の一例を示す図である。
【図３】電子番組表及び連動データ放送時間リストの一例を示す図である。
【図４】電子番組表の一例を示す図である。
【図５】リモコンのボタン構成の一例を示す図である。
【図６】第１の実施形態におけるリモコンの機能構成の一例を示す図である。
【図７】リモコンの一例を示す図である。
【図８】第１の実施形態における番組切り換え動作の一例を示すフローチャートである。
【図９】第２の実施形態における放送受信システムの一例を示す図である。
【図１０】第２の実施形態におけるリモコンの機能構成の一例を示す図である。
【図１１】第２の実施形態における番組切り換え動作の一例を示すフローチャートである。
【符号の説明】
【００９８】
１０，７０  放送受信システム
１１  読取／書込装置（リーダ／ライタ）
１２  ＩＣカード
１３、７１  遠隔指示制御装置（リモコン）
１４  放送受信装置（テレビ）
１５  放送アンテナ
２１  コンテンツ提供装置
２２  通信ネットワーク
２３  電子番組表（ＥＰＧ）
２４  カードホルダ（カード格納手段）
３１  電子番組表取得部
３２  連動データ放送時間リスト生成部
３３  リモコン操作手順リスト処理部
３４  時刻管理部
３５  カード情報書換部
４１  連動データ放送時間リスト
４２  リモコン操作手順リスト
５０  放送メディアボタン
５１  ダイレクトボタン
５２  ＥＰＧボタン
５３  ｄボタン
５４  色ボタン
５５  ワンタッチボタン
６１  電子タグリーダ部
６２  デコード処理部
６３，８４  送信制御部
６４  エンコード処理部
６５，８３  メモリ
６６  赤外線信号送信部
７２  データ放送紹介用紙
８１  通信部
８２  ＱＲコード取込部
【図１】
0005011175.tif 000002
【図２】
0005011175.tif 000003
【図３】
0005011175.tif 000004
【図４】
0005011175.tif 000005
【図５】
0005011175.tif 000006
【図６】
0005011175.tif 000007
【図７】
0005011175.tif 000008
【図８】
0005011175.tif 000009
【図９】
0005011175.tif 000010
【図１０】
0005011175.tif 000011
【図１１】
0005011175.tif 000012